(57)【要約】【課題】煙草の煙を含んだ空気が外部へ漏れ出しにくい喫煙ボックスを提供する。【解決手段】非喫煙空間内ＮＳに、周囲を壁部２に取り囲まれた喫煙空間ＳＡを設ける。その喫煙空間ＳＡに空気清浄機３を設け、内部の空気を処理する。処理した空気の一部は喫煙空間ＳＡの外部へ排気する。また、処理空気の残りの部分は排気せずに循環用空気通路６を通して循環させる。壁部２には空気流入口５が形成され、非喫煙空間ＮＳから新鮮な空気が流入する。空気流入口５における流入空気Ｑ５の速度は、循環用空気通路６における循環空気Ｑ４の速度よりも速くされている。これにより、空気流入口５から喫煙空間ＳＡ側の空気が逆流しにくくなる。【選択図】図２
2007024372.tif 000002
【特許請求の範囲】
【請求項１】
室内等の、喫煙が禁止された非喫煙空間内に設けられ、周囲を壁部によって取り囲まれ、その内部において喫煙が許可された喫煙空間と、
前記壁部に形成され、前記非喫煙空間から空気が前記喫煙空間へ流入する空気流入口と、
前記喫煙空間から空気が外部へ排出される空気排出口と、
前記喫煙空間内に配置された空気清浄機であって、該喫煙空間において発生した煙草の煙を含む空気を吸入することにより、前記煙の少なくとも一部を除去処理し、その煙が除去処理された処理空気の一部を前記空気排出口を通して前記喫煙空間外へ排出空気として排気し、前記処理空気の残りの部分を前記喫煙空間外へ排気せずに循環空気として前記喫煙空間内に循環させるとともに、前記非喫煙空間から前記空気流入口を通して煙を含まない空気を前記喫煙空間へ流入させる空気清浄機と、
その空気清浄機に接続され、該空気清浄機から離れた位置の前記喫煙空間内に前記循環用空気を排出する循環用空気通路と、
を備え、前記空気排出口から排気された前記排出空気は、前記非喫煙空間側に設けられた非喫煙側排気装置によって、前記非喫煙空間内の空気とともに該非喫煙空間の外部へ排気され、
前記排出空気の風量は、前記非喫煙側排気装置の総排気風量よりも小さくされ、
前記非喫煙空間から前記空気流入口を通して前記喫煙空間へ流入する流入空気の風量は、前記循環空気の風量よりも大きくされ、かつ、前記空気流入口における前記流入空気の速度は、前記循環用空気通路における前記循環空気の速度よりも速くされ、
前記空気流入口における前記流入空気の速度は０．２ｍ／ｓ以上にされていることを特徴とする喫煙ボックス。
【請求項２】
前記空気排出口から前記排出空気が排気される方向に、前記空気排出口の開口形状を投影した投影形状は、前記非喫煙側排気装置の吸気口において該吸気口の外縁の内側に位置するようにされている請求項１記載の喫煙ボックス。
【請求項３】
前記喫煙空間は、複数枚の前記壁部に取り囲まれて形成され、
前記空気清浄機は、前記複数枚の壁部のうち特定の壁部の内面に取り付けられ、その特定の壁部には前記空気流入口が形成されていないか、または前記特定の壁部以外の壁部における前記空気流入口よりも開口面積が小さくなるように前記特定の壁部に前記流入口が形成されている請求項１または２記載の喫煙ボックス。
【請求項４】
前記喫煙空間は、複数枚の前記壁部に取り囲まれて形成され、
前記空気清浄機は、前記複数枚の壁部のうち特定の壁部の内面に取り付けられ、その特定の壁部に形成された前記空気流入口は、圧損のある空気透過性部材によって塞がれている請求項１または２記載の喫煙ボックス。
【請求項５】
前記喫煙空間は、複数枚の前記壁部に取り囲まれて直方体となるように形成され、
前記空気清浄機は、前記複数の壁部のうち特定の壁部の上部内面に取り付けられ、
前記複数枚の壁部のうち前記特定の壁部とは別の壁部であって、前記特定の壁部に対向する位置に配置された壁部には、その上部に上部給気口が形成され、前記非喫煙空間から前記上部給気口を通って前記喫煙空間へ給気される空気の流れにより、前記空気清浄機と前記上部吸気口との間において前記煙の滞留が防止される請求項１ないし４のいずれか１項に記載の喫煙ボックス。
【請求項６】
前記空気清浄機は、前記喫煙空間内の煙の濃度に応じて処理する空気の量を自動的に調節可能とされ、
前記流入空気の風量をＱ２（ｍ３／ｓ）とし、前記空気流入口の開口面積をＳ５（ｍ２）とすると、前記空気清浄機の処理風量が最小の場合において、以下の式が成立する請求項１ないし５のいずれか１項に記載の喫煙ボックス。
Ｓ５≦Ｑ２／０．２
【請求項７】
前記空気清浄機は、前記排出空気の風量と循環空気の風量の比を、該空気清浄機側で通気経路の横断面積の比率を変化させることによって変更可能であり、
前記排出空気の風量が最大となった場合であっても、その風量は、前記非喫煙側排気装置の総排気量よりも小さくされている請求項１ないし６のいずれか１項に記載の喫煙ボックス。
【発明の詳細な説明】
【技術分野】
【０００１】
本発明は、喫煙ボックスに関するものである。
【背景技術】
【０００２】
従来から、オフィスなどの、喫煙が禁止された部屋に設けられ、ガラス板等で周囲と隔離されて、その内部においてのみ喫煙を許可するための喫煙ボックスがある。この喫煙ボックスを用いることにより、内部の空間を外部（オフィス空間）と隔離することができ、そのため、内部で発生した煙草の煙がオフィスへ向かって流出しにくくなる。その結果、煙草を吸わない人へ与える健康被害を少なくすることができる。
【０００３】
例えば下記特許文献には、空気清浄機を備えた喫煙ルームが開示されている。この空気清浄機によって煙草の煙の一部を除去でき、喫煙ルーム内の煙の濃度を下げることができる。
【特許文献１】特開２００１−２０５４７号公報
【発明の開示】
【発明が解決しようとする課題】
【０００４】
従来の喫煙ボックスでは、煙を除去した空気の一部を室外へ排気し、残りの部分を喫煙ボックスに戻して循環させている。このように空気の一部を循環させるのは、以下の理由による。すなわち、喫煙ボックスから外部（オフィス空間）へ排気された空気は、その外部に設けられた排気装置によって室外へ排気されるのであるが、その排気装置の処理能力が少ないと、十分な速さで排気できなくなる。つまり、喫煙ボックスの排気速度は、外部に設けられた排気装置の能力によって制限を受けるのである。その結果、喫煙ボックス内の煙の濃度が許容値よりも上昇してしまう場合がある。そのため、空気清浄機を使って大量の空気を吸い込んで煙を除去するとともに、その一部を室外に排気し、残りの部分を喫煙ボックスに戻すようにしている。一方、喫煙ボックスには空気流入口が設けられており、外部から空気流入口を通って新鮮な空気が流入するようになっている。
【０００５】
しかしながら従来の喫煙ボックスでは、空気清浄機によって清浄化した空気を喫煙ボックス内に戻した際に、空気の流通速度が局所的に速くなることがあり、空気流入口から内部の空気が逆流してしまうことがあった。逆流した空気には煙草の煙が含まれているため、非喫煙者に健康被害が生じていた。そこで、煙草の煙を含んだ空気が外部へ漏れ出しにくい構造を有する喫煙ボックスが望まれていた。
【０００６】
一方、この種の喫煙ボックスでは、内部で煙が滞留しないように工夫をして、空気清浄機が煙を吸い込む効率を高めることが必要とされてきた。
【０００７】
本発明は上述のような事情を背景になされたもので、特に、煙草の煙を含んだ空気が外部へ漏れ出しにくい喫煙ボックスを提供することを第一の課題とする。また、煙草の煙が内部で滞留しにくい喫煙ボックスを提供することを第二の課題とする。
【課題を解決するための手段および発明の効果】
【０００８】
この発明は、
室内等の、喫煙が禁止された非喫煙空間内に設けられ、周囲を壁部によって取り囲まれ、その内部において喫煙が許可された喫煙空間と、
前記壁部に形成され、前記非喫煙空間から空気が前記喫煙空間へ流入する空気流入口と、
前記喫煙空間から空気が外部へ排出される空気排出口と、
前記喫煙空間内に配置された空気清浄機であって、該喫煙空間において発生した煙草の煙を含む空気を吸入することにより、前記煙の少なくとも一部を除去処理し、その煙が除去処理された処理空気の一部を前記空気排出口を通して前記喫煙空間外へ排出空気として排気し、前記処理空気の残りの部分を前記喫煙空間外へ排気せずに循環空気として前記喫煙空間内に循環させるとともに、前記非喫煙空間から前記空気流入口を通して煙を含まない空気を前記喫煙空間へ流入させる空気清浄機と、
その空気清浄機に接続され、該空気清浄機から離れた位置の前記喫煙空間内に前記循環用空気を排出する循環用空気通路と、
を備え、前記空気排出口から排気された前記排出空気は、前記非喫煙空間側に設けられた非喫煙側排気装置によって、前記非喫煙空間内の空気とともに該非喫煙空間の外部へ排気され、
前記排出空気の風量は、前記非喫煙側排気装置の総排気風量よりも小さくされ、
前記非喫煙空間から前記空気流入口を通して前記喫煙空間へ流入する流入空気の風量は、前記循環空気の風量よりも大きくされ、かつ、前記空気流入口における前記流入空気の速度は、前記循環用空気通路における前記循環空気の速度よりも速くされ、
前記空気流入口における前記流入空気の速度は０．２ｍ／ｓ以上にされていることを特徴とする喫煙ボックスである。
【０００９】
上記本発明の喫煙ボックスによると、オフィス等の非喫煙空間に、周囲を壁部によって取り囲まれた喫煙空間が設けられている。この喫煙空間内には空気清浄機が配置されており、この空気清浄機は、喫煙空間内の空気を吸入して煙を除去処理するとともに、その一部を空気排出口から排出する。また、空気清浄機は、処理空気の他の一部を喫煙空間へ戻して循環させている。より詳しくは、空気清浄機には循環用空気通路が形成されており、空気清浄機によって処理された処理空気のうち排気されない空気（循環空気）は循環用空気通路を通り、空気清浄機から離れた位置から喫煙空間内に排気されるようになっている。つまり、循環空気の出口と空気清浄機を離すことにより、処理されたばかりの循環空気がすぐに空気清浄機へ戻ることを防止している。
【００１０】
一方、壁部には空気流入口が形成され、排出された空気と同じ風量の空気が空気流入口を通して喫煙空間へ入ってくる。空気清浄機が稼動している間は喫煙空間が負圧にされているので、空気流入口５から新鮮な空気（流入空気）が流入する。この流れによって、喫煙空間内の煙が空気流入口から逆流しにくくなっている。本発明では、流入空気の風量は循環空気の風量よりも大きくされ、かつ、空気流入口における流入空気の速度は、循環用空気通路における循環空気の速度よりも速くされている。これにより、何らかの原因（内部で喫煙者が動いたり、空気清浄機の送風速度が変化したり）によって循環空気の速度が局所的に速くなったとしても、空気流入口における流入空気の速度を常に速くすることができ、従って、循環空気が煙とともに外部へ漏れることが少なくなる。
【００１１】
空気流入口における流入空気の速度は、常に０．２ｍ／ｓ以上にされている。この速度が０．２ｍ／ｓよりも遅くなると、空気が外部へ漏れる確率が高くなる。さらに本発明では、空気排出口から排出される空気（排出空気）の風量を、非喫煙側排気装置の総排気量よりも小さくしている。それは以下の理由による。すなわち、空気清浄機の煙除去性能は完全ではないため、排出空気には少量の煙が残存している。その排出空気は喫煙空間の外部へ一旦排出された後、非喫煙側排気装置によって室外へ出されるのであるが、排出風量が多すぎると、非喫煙側排気装置の排気能力が間に合わなくなり、非喫煙空間に煙が漏れることとなる。そのような問題を防止するため本発明では、排出空気の風量を非喫煙側排気装置の総排気量よりも小さくしている。また、上述したように本発明では、流入空気の風量を循環空気の風量よりも大きくしている。これによって以下のような効果も生じる。すなわち、循環空気の中には少量の煙が残存しているため、循環空気の風量が相対的に多いと、喫煙空間内に煙が充満する場合があるが、本発明のように、流入空気の風量を相対的に増やすことにより、新鮮な空気を常に入れることができ、喫煙空間における煙の濃度を一定以下に抑えられる。
【００１２】
また、本発明は、
前記空気排出口から前記排出空気が排気される方向に、前記空気排出口の開口形状を投影した投影形状は、前記非喫煙側排気装置の吸気口において該吸気口の外縁の内側に位置するようにされている喫煙ボックスである。
このようにすると、非喫煙側排気装置が排出空気を吸い込む効率を高めることができる。
【００１３】
一方、空気清浄機を壁部の内面に取り付け、且つその壁部に空気流入口を形成すると、喫煙空間内における空気の流れが悪くなり、煙が滞留しやすくなるという問題がある。例えば空気清浄機を壁部の上部内面に取り付け、その下部に空気流入口を形成すると、反対側の壁部に形成された空気流入口から入った空気流と、空気清浄機の下部の空気流入口から入った空気流とが合成されることとなり、空気清浄機へ直接向かう空気の流れが生じにくくなって、煙が滞留しやすくなるのである。このような問題は、以下のような構成を採用することで解決できる。すなわち、
前記喫煙空間は、複数枚の前記壁部に取り囲まれて形成され、
前記空気清浄機は、前記複数枚の壁部のうち特定の壁部の内面に取り付けられ、その特定の壁部には前記空気流入口が形成されていないか、または前記特定の壁部以外の壁部における前記空気流入口よりも開口面積が小さくなるように前記特定の壁部に前記流入口が形成されている喫煙ボックス。
【００１４】
さらに本発明は、次のようにしてもよい。
前記喫煙空間は、複数枚の前記壁部に取り囲まれて形成され、
前記空気清浄機は、前記複数枚の壁部のうち特定の壁部の内面に取り付けられ、その特定の壁部に形成された前記空気流入口は、圧損のある空気透過性部材によって塞がれている喫煙ボックス。
このようにすると、喫煙空間内における空気の流れを良くし、煙の滞留を防止できるとともに、必要最小限の空気を空気透過性部材を通して流入させることができる。
【００１５】
また、本発明の喫煙ボックスは、以下の構成を採用してもよい。すなわち、
前記喫煙空間は、複数枚の前記壁部に取り囲まれて直方体となるように形成され、
前記空気清浄機は、前記複数の壁部のうち特定の壁部の上部内面に取り付けられ、
前記複数枚の壁部のうち前記特定の壁部とは別の壁部であって、前記特定の壁部に対向する位置に配置された壁部には、その上部に上部給気口が形成され、前記非喫煙空間から前記上部給気口を通って前記喫煙空間へ給気される空気の流れにより、前記空気清浄機と前記上部吸気口との間において前記煙の滞留が防止される喫煙ボックス。
このようにすると、上部給気口から入った空気流と、他の空気流入口から入った空気流とが合成されて、空気清浄機へ直接向かう空気流を喫煙空間内に形成することができる。その結果、煙が滞留しにくくなる。
【００１６】
また、以下のようにすることもできる。
前記空気清浄機は、前記喫煙空間内の煙の濃度に応じて処理する空気の量を自動的に調節可能とされ、
前記流入空気の風量をＱ２（ｍ３／ｓ）とし、前記空気流入口の開口面積をＳ５（ｍ２）とすると、前記空気清浄機の処理風量が最小の場合において、以下の式が成立する喫煙ボックス。
Ｓ５≦Ｑ２／０．２      （１）
つまり、一時的に多くの者が喫煙すると、喫煙空間における煙の濃度が増加することになる。その際には、自動的に空気清浄機の処理風量を増加することで対処できる。逆に喫煙者の数が少ない時は、処理風量を低くすることができる。ところが、空気清浄機の処理風量を低下させると別の問題が生じる。すなわち、処理風量が低下すると流入空気の風量も低下するのである。このとき、十分な量の空気を喫煙空間に入れることができない場合がある。しかし上述の（１）式を満たすのであれば、空気清浄機の処理風量が最小限の時であっても十分な量の空気を喫煙空間に入れることができる。
【００１７】
また、以下のようにしてもよい。
前記空気清浄機は、前記排出空気の風量と循環空気の風量の比を、該空気清浄機側で通気経路の横断面積の比率を変化させることによって変更可能であり、
前記排出空気の風量が最大となった場合であっても、その風量は、前記非喫煙側排気装置の総排気量よりも小さくされている喫煙ボックス。
このようにすると、排出空気の風量が最大となった場合であっても、煙を含んだ排出空気が非喫煙空間へ流出することがない。
【発明を実施するための最良の形態】
【００１８】
次に、本発明の実施形態を、図面を参照しながら説明する。
図１は本発明に係る喫煙ボックス１の斜視図であり、図２は同じく縦断面図である。このように、喫煙が禁止された非喫煙空間ＮＳ内に、周囲を壁部２および天井壁部２’（壁部２の一部）によって取り囲まれた喫煙空間ＳＡが設けられている。この喫煙空間ＳＡ内では喫煙が許可されているが、壁部２によって非喫煙空間ＮＳから隔離されているので、煙が直接、外部へ流出しないようになっている。壁部２と床部１０の間には空気流入口５が形成されており、また、喫煙空間ＳＡ内には空気清浄機３が設けられている。空気清浄機３には循環用空気通路６および排気用空気通路１１が設けられており、このうち排気用空気通路１１には、喫煙空間ＳＡ内の空気が排出される空気排出口４が形成されている。空気清浄機３は喫煙空間ＳＡにおいて発生した煙草の煙８を含む空気を吸入（吸入空気Ｑ１）することにより、煙８の少なくとも一部を除去処理し、その煙８が除去処理された処理空気Ｑ７の一部を空気排出口４を通して喫煙空間ＳＡの外部へ排気する（排出空気Ｑ２）。また、空気清浄機３は処理空気の残りの部分を排気せずに喫煙空間ＳＡに循環させる（循環空気Ｑ４）とともに、その吸気力によって、非喫煙空間ＮＳから空気流入口５を通して煙８を含まない空気を喫煙空間ＳＡへ流入させている（流入空気Ｑ５）。非喫煙空間ＮＳから空気流入口５を通って新鮮な空気が常に喫煙空間ＳＡへ流入するので、その空気の流れによって、煙草の煙８が逆流しないようになっている。一方、空気排出口４から排気された排出空気Ｑ２は、非喫煙空間ＮＳの天井Ｃに配置された非喫煙側排気装置７によって、非喫煙空間内の空気Ｑ６とともに非喫煙空間ＮＳの外部へ排気される（室外排出空気Ｑ３）。
【００１９】
循環用空気通路６は、より詳しくは、空気清浄機３との接続部となる循環空気流入口６ａ（図１）と、循環空気Ｑ４が通る筒部６ｂと、空気清浄機３から離れた位置において筒部６ｂに開口し、循環空気Ｑ４が喫煙空間ＳＡに排出される循環空気排出口６ｃとから構成される。循環空気排出口６ｃは空気清浄機３から離れた位置に開口しているので、排出した循環空気Ｑ４がすぐに空気清浄機３へ戻ることを防止できる。循環空気排出口６ｃから排出された循環空気Ｑ４は喫煙空間ＳＡ内を暫くの間循環した後、再び空気清浄機３に吸引されることとなる。ここで循環用空気通路６における循環空気Ｑ４の速度をＶ４と表し、喫煙空間ＳＡへ排出された循環空気Ｑ４’の速度をＶ４’と表すと、Ｖ４＞Ｖ４’が成立する。つまり、循環用空気通路６内は空気の通過断面積が狭いので、流通速度が必然的に速くなるが、喫煙空間ＳＡに排出された循環空気Ｑ４は通過断面積の制約がないので、流通速度が遅くなるのである。そのためＶ４’は通常、空気流入口５における流入空気Ｑ５の速度Ｖ５よりも遅くなっている。
【００２０】
しかしながら、何らかの原因が発生（例えば喫煙者１３が動いたり、空気清浄機３の送風速度が変化したり）することにより、喫煙空間ＳＡにおける循環空気Ｑ４’の速度が局所的に速くなり、空気流入口５から逆流してしまう場合がある。この時、内部の煙８が一緒に出てしまうことがあるが、本発明によってこの問題は解決された。すなわち、本発明では流入空気Ｑ５の風量は循環空気Ｑ４の風量よりも大きくされ、かつ、空気流入口５における流入空気Ｑ５の速度は循環用空気通路６（特には、循環空気排出口６ｃ）における循環空気Ｑ４の速度よりも速くされている。これにより、循環空気Ｑ４の速度が喫煙空間ＳＡ内で局所的に速くなった場合でも、空気流入口５における流入空気Ｑ５の速度の方を常に速くすることができ、従って、循環空気Ｑ４が煙とともに外部へ漏れることが少なくなる。上記のようにするためには、具体的には、空気流入口５の開口面積を狭くして流入空気Ｑ５の速度を速めたり、循環用空気通路６の長くすることにより抵抗を増やして循環空気Ｑ４の速度を遅くしたりすればよい。
【００２１】
なお、図１および図２の実施形態では循環用空気通路６を、循環空気流入口６ａと、筒部６ｂと、循環空気排出口６ｃとから構成したが、別の構造にすることもできる。例えば喫煙ボックス１の天井壁部２’を二重構造にして、その二重の天井壁部２’に挟まれる空間を通って循環空気Ｑ４が流通するようにしてもよい。
【００２２】
また、空気流入口５における流入空気Ｑ５の速度は、常に０．２ｍ／ｓ以上にされている。速度が０．２ｍ／ｓよりも遅くなると、空気が外部へ漏れる確率が高くなる。
【００２３】
一方、本実施形態では、空気排出口４から排出される排出空気Ｑ２の風量を、非喫煙側排気装置７の総排気量よりも小さくしている。つまり、空気清浄機３の煙除去性能は完全ではないため、排出空気Ｑ２には少量の煙が残存している。排出空気Ｑ２の風量が多すぎると、非喫煙側排気装置７の排気能力が間に合わなくなり、非喫煙空間ＮＳに煙が漏れる場合がある。しかしながら排出空気Ｑ２の風量を非喫煙側排気装置７の総排気量よりも小さくすると、非喫煙側排気装置７が排出空気Ｑ２を略全て吸うこととなり、従って、非喫煙空間ＮＳへ煙が流出しにくくなる。
【００２４】
また、以下のようにすることで、煙が一層、非喫煙空間ＮＳへ流出しにくくなる。すなわち、図３（非喫煙側排気装置７の吸気口７ａを天井Ｃ側からみた図）のように、吸気口７ａが空気排出口４よりも大きな形状を有するようにし、かつ、吸気口７ａの真下位置に空気排出口４を位置させるのである。言い換えると、空気排出口４から排出空気Ｑ２が排気される方向に、空気排出口４の開口形状を投影した投影形状が、吸気口７ａにおいて該吸気口の外縁の内側に位置するようにしておく。これにより、空気排出口からの排出空気Ｑ２が吸気口７ａから外れることがなくなる。
【００２５】
次に、本発明の別の実施形態を説明する。図４は喫煙ボックス内における煙の動きを示したものである。図４Ａは従来例であり、図４Ｂ，Ｃは本発明に係る喫煙ボックスである。まず図４Ａから説明すると、この従来例としての喫煙ボックスは、複数枚の壁部２によって立方体形状に構成され、内部が喫煙空間ＳＡとされている。そして、複数枚の壁部２のうち特定の壁部２ａの上部内面に空気清浄機３が設けられ、その特定壁部２ａの下部に特定空気流入口５ａが形成されている。また、他の３枚の壁部２の下部にもそれぞれ空気流入口５が形成されている。空気清浄機３の吸引力によって各空気流入口５から新鮮な空気が入り込み、その新鮮な空気が煙８と入れ替わるのであるが、四方から同じ風量の空気が入り込むため、その空気流が合成されて、空気清浄機３へ向かわない流れ１４（図４Ａの丸で囲った部分）が形成される。この流れ１４は喫煙空間ＳＡの中央付近の循環気流となっている。この流れ１４によって煙草の煙８が滞留するため、喫煙空間ＳＡ内の煙の除去効率を低下させる原因になっていた。
【００２６】
この問題を解決するため本発明は、図４Ｂに示すように、空気清浄機３が取り付けられた特定壁部２ａと床部１０とを密接させて、特定空気流入口５ａを形成しないようにした。これにより、特定空気流入口５ａから空気が入らなくなり、他の空気流入口５から入った空気がそのまま空気清浄機３へ向かうようになる。そのため、煙８が喫煙空間ＳＡ内で滞留せず、空気清浄機へ吸い込まれやすくなる。つまり、図４Ａの従来例では特定空気流入口５ａおよび他の空気流入口５から入った空気流が合成され、空気清浄機へ直接向かわない空気の流れ１４が形成されていたが、図４Ｂのように特定空気流入口５ａを閉じることで、他の空気流入口５から入った空気流が合成されて、空気清浄機３へ直接向かう流れになる。
【００２７】
なお、図４Ｂでは特定空気流入口５ａを閉じていたが、その代わりにスポンジ等の、圧損のある空気透過性材料で特定空気流入口５ａを塞ぐようにしてもよい。このようにすると、空気清浄機３へ直接向かう空気の流れが生じやすくなるとともに、必要最小限の空気を特定空気流入口５ａから入れることができる。
【００２８】
さらに、特定空気流入口５ａを完全に閉じるのではなく、他の空気流入口５の開口面積よりも狭い開口面積を有するように、特定流入口５ａを形成してもよい。
【００２９】
一方、図４Ｃおよび図５に示す実施形態を採用してもよい。図４Ｃおよび図５では、特定空気流入口５ａを閉じる代わりに、特定壁部２ａに対向する壁部２ｂの上部に上部給気口９を形成した。このようにすると、図４Ａにおいて煙が滞留していた部分１４を解消でき、空気流入口５および上部給気口９から入った空気をスムーズに空気清浄機３へ向かわせることができる。
【００３０】
次に図２に戻り、別の実施形態について説明する。空気清浄機３は、喫煙空間ＳＡ内の煙８の濃度に応じて処理する空気の量を自動的に調節するように構成できる。このとき、流入空気の風量をＱ２（ｍ３／ｓ）とし、前記空気流入口の開口面積をＳ５（ｍ２）とすると、前記空気清浄機の処理風量が最小の場合において、以下の式が成立するようにできる。
Ｓ５≦Ｑ２／０．２    （１）
つまり、一時的に多くの者が喫煙すると、喫煙空間ＳＡにおける煙８の濃度が増加することになる。その際には、自動的に空気清浄機３の処理風量を増加することで対処できる。逆に喫煙者１３の数が少ない時は、処理風量を低くすることができる。ところが、空気清浄機３の処理風量を低下させると別の問題が生じる。すなわち、処理風量が低下すると流入空気Ｑ５の風量も同時に低下するのである。この場合、十分な量の空気を喫煙空間ＳＡに入れることができなくなることがある。しかし上述の（１）式を満たすのであれば、空気清浄機３の処理風量が最小限の時であっても十分な量の空気を喫煙空間ＳＡに入れることができる。
【００３１】
次に、図２を用いてさらに別の実施形態について説明する。空気清浄機３は、以下のように構成できる。すなわち、排出空気Ｑ２の風量と循環空気Ｑ４の風量との比を、空気清浄機３内の機構によって通気経路の横断面積の比率を変化させることによって変更するのである。これにより、フィルターが詰まる等の理由により煙８の除去効率が低下した場合、循環空気Ｑ４の風量を減らして煙８が喫煙空間ＳＡに戻らないようにするとともに、排気空気Ｑ２の風量を増やすことにより煙８を喫煙空間ＳＡの外部へ排出することができる。このとき、排気空気Ｑ２の風量が外部排気装置７の総排気量よりも増えると、煙８が非喫煙空間ＮＳへ流出する問題が生じる。本発明ではこの問題を解決するために、排出空気Ｑ２の風量が最大となった場合であっても、その排気風量が、非喫煙側排気装置７の総排気量よりも小さくなるように調整されている。
【図面の簡単な説明】
【００３２】
【図１】本発明に係る喫煙ボックス１の斜視図
【図２】同じく断面図
【図３】非喫煙側排気装置７の吸気口７ａを天井Ｃ側からみた図
【図４】喫煙ボックス１内の煙の滞留を表す図
【図５】上部給気口９を形成した喫煙ボックス１の三面図
【符号の説明】
【００３３】
１  喫煙ボックス
２  壁部
３  空気清浄機
４  空気排出口
５  空気流入口
６  循環用空気通路
６ｃ  循環空気排出口
７  非喫煙側排気装置
８  煙草の煙
９  上部給気口
１１  排気用空気通路
１３  喫煙者
Ｑ１  吸入空気
Ｑ２  排出空気（およびその風量）
Ｑ３  室外排出空気
Ｑ４  循環空気
Ｑ５  流入空気
Ｓ５  空気流入口の面積
Ｖ４  循環空気の速度
Ｖ５  流入空気の速度
【図１】
2007024372.tif 000003
【図２】
2007024372.tif 000004
【図３】
2007024372.tif 000005
【図４】
2007024372.tif 000006
【図５】
2007024372.tif 000007